【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
コンピュータが実行する、複数の装置に出力されるコンテンツの制御の方法であって、前記複数の装置のそれぞれは特定のチャンネルに対して静的にチューニングされ、前記方法は、
前記装置をポーリングして、複数のディスプレイを有するシステムの管理者がアクセス可能なディスプレイに、システム情報をポピュレートすることにより、複数のチャンネルが表示される、利用可能なチャンネルのリストを生成するステップと、
前記利用可能なチャンネルのリストを前記管理者に提供し、どの装置が前記特定のチャンネルに対して静的にチューニングされているのかを前記管理者が容易に確認することができるようにするステップと、
前記利用可能なチャンネルのリストを周期的にリフレッシュするステップと、
前記利用可能なチャンネルのリストを前記管理者に表示して、前記管理者が前記複数の装置に出力されるコンテンツを制御することができるようにするステップと、
を含む、前記方法。
【請求項２】
前記システムにパスワードを使用してログインするステップをさらに含む、請求項１に記載の方法。
【請求項３】
前記利用可能なチャンネルのリストを基準に基づき検索するステップをさらに含む、請求項１に記載の方法。
【請求項４】
前記基準が、チャンネル名、チャンネル番号、チャンネルテキスト、およびチャンネルイベントから成る群の少なくとも１つを含む、請求項３に記載の方法。
【請求項５】
前記リフレッシュするステップが、前記チャンネルのリストにチャンネルを追加するステップを含む、請求項１に記載の方法。
【請求項６】
前記リフレッシュするステップが、前記チャンネルのリストからチャンネルを削除するステップを更に含む、請求項５に記載の方法。
【請求項７】
前記リフレッシュするステップが、前記チャンネルのリストを、追加および削除されたチャンネルを用いて更新するステップを含む、請求項６に記載の方法。
【請求項８】
前記チャンネルのリストが周期的に更新される、請求項７に記載の方法。
【請求項９】
前記管理者が、前記チャンネルのリストが更新される周期を制御する、請求項８に記載の方法。
【手続補正２】
【補正対象書類名】明細書
【補正対象項目名】００３５
【補正方法】変更
【補正の内容】
【００３５】
好ましくは、何のチャンネルが現在再生中であるのかを知るための情報が、チューナ装置から利用可能なＸＭＬファイルから検索される。ＸＭＬファイルは以下のスクリプトを使用して生成されてよい。
＜ｔｕｎｅｒＬｉｓｔ＞  
＜ｔｕｎｅｒ＞  
＜ｃｈａｓｓｉｓ＞８＜／ｃｈａｓｓｉｓ＞  
＜ｓｌｏｔ＞３＜／ｓｌｏｔ＞  
＜ｉｎｄｅｘ＞  １  ＜／ｉｎｄｅｘ＞  
＜ｃａｒｄＩｐ＞１９２．１６８．３．１３２＜／ｃａｒｄＩｐ＞  
＜ｉｐ＞１９２．１６８．６．９＜／ｉｐ＞  
＜ｐｏｒｔ＞３３＜／ｐｏｒｔ＞  
＜ｓｔｒｅａｍＩｄ＞０ｘ８００００００４＜／ｓｔｒｅａｍＩｄ＞  
＜ｃｈａｎ＞  １０６５７１０＜／ｃｈａｎ＞  
＜／ｔｕｎｅｒ＞  
・・・
＜／ｔｕｎｅｒＬｉｓｔ＞  
【手続補正３】
【補正対象書類名】明細書
【補正対象項目名】００４６
【補正方法】変更
【補正の内容】
【００４６】
４００において、好ましくは、ＵＩ上に利用可能なチャンネルのビューがポピュレートされる。これは、上述のＸＭＬファイルの検索により、または、他のソース、例えば、コンテンツのプロバイダ、インターネット、または内部ソースなどからの情報の等価的な検索により達成してもよい。さらに好ましくは、それにより、利用可能なチャンネルのチャンネルビューが、ＵＩに提供される。
【手続補正４】
【補正対象書類名】明細書
【補正対象項目名】００４７
【補正方法】変更
【補正の内容】
【００４７】
４１０において、管理者は、関係する基準のセットに基づき利用可能なチャンネルを検索する。これにより、管理者は、チャンネル名、チャンネル番号、テキスト、カテゴリ、イベント、または、上述したように、コンテンツ配信システムについて特別に設計された、もしくはコンテンツ配信システムに特有の、他の基準に基づき、チャンネルを検索することが可能となる。４２０において、望ましくは、検索されたファイルを生成またはリフレッシュして、場合によっては、利用可能なチャンネルリストを生成またはリフレッシュする。ＵＩの初期セットアップ中、チャンネルリストが最初にセットアップされる。他のチャンネルが追加または削除されると、リストは更新されて、正確かつシステムの管理者にとって有用であるように保持される。リストは頻繁に、例えば、５分ごとにリフレッシュされ４３０、しかし、管理者には、リフレッシュ時間をシステムの特定のニーズに従って変更する能力が提供されてよい。ステップ４３０において、リフレッシュ時間であると判定される場合、方法はステップ４２０に戻り、または、新しいチャンネルが存在する、または削除されるべきである、と判定されるどうかに係わらず、システムはステップ４４０に進む。その場合、ステップ４５０においてチャンネルが追加され、方法はステップ４２０に戻り、ファイルに対するチャンネルの追加または削除を行う。または、方法はステップ４６０に進み、リフレッシュされたリストが表示される。そして、方法はステップ４７０において終了する。
【手続補正５】
【補正対象書類名】明細書
【補正対象項目名】００４８
【補正方法】変更
【補正の内容】
【００４８】
本発明に係るコンテンツ配信システムの特定の好ましい実施形態を説明した。好ましい実施形態を記載かつ開示したが、当業者は、修正が本発明の真の精神および範囲内であることを理解するであろう。添付の請求項には、全てのそのような修正を対象とすることを意図している。
本発明は以下の態様を含む。
（付記１）
複数の装置に出力されるコンテンツを制御する、コンピュータが実行する方法であって、前記複数の装置のそれぞれは特定のチャンネルに対して静的にチューニングされ、
前記装置をポーリングして、複数のディスプレイを有するシステムの管理者がアクセス可能なディスプレイに、システム情報をポピュレートして、利用可能なチャンネルのポピュレートを前記管理者に提供し、前記管理者がどの装置が前記特定のチャンネルに対して静的にチューニングされているのかを容易に確認できるようにすることと、
前記複数のチャンネルが表示される、利用可能なチャンネルのファイルを生成することと、
前記利用可能なチャンネルのリストを周期的にリフレッシュすることと、
前記利用可能なチャンネルのリストを前記管理者に対して表示して、前記管理者が前記複数の装置に出力されるコンテンツを制御できるようにすることと、
を含む、前記方法。
（付記２）
前記システムにパスワードを使用してログインするステップをさらに含む、付記１に記載の方法。
（付記３）
前記利用可能なチャンネルのファイルを基準に基づき検索するステップをさらに含む、付記１に記載の方法。
（付記４）
前記基準が、チャンネル名、チャンネル番号、チャンネルテキスト、およびチャンネルイベントから成る群の少なくとも１つを含む、付記３に記載の方法。
（付記５）
前記リフレッシュするステップが、前記チャンネルのリストにチャンネルを追加するステップを含む、付記１に記載の方法。
（付記６）
前記リフレッシュするステップが、前記チャンネルのリストからチャンネルを削除するステップを更に含む、付記５に記載の方法。
（付記７）
前記リフレッシュするステップが、前記チャンネルのリストを、追加および削除されたチャンネルを用いて更新するステップを含む、付記６に記載の方法。
（付記８）
前記チャンネルのリストが周期的に更新される、付記７に記載の方法。
（付記９）
前記管理者が、前記チャンネルのリストが更新される周期を制御する、付記８に記載の方法。